(57)【特許請求の範囲】
【請求項１】
交流電源から供給される交流電圧をスイッチング素子のスイッチング動作により所定の直流電流に変換して負荷に供給するスイッチング電源装置と、少なくとも前記負荷に供給される直流電流と前記交流電圧とのいずれか一方に対応した制御パラメータを生成するパラメータ生成装置と、前記スイッチング電源装置と前記パラメータ生成装置との間にあって、前記パラメータ生成装置により生成される制御パラメータを前記スイッチング電源装置に伝送する信号伝送部と、を備えた電源装置システムであって、
前記スイッチング電源装置は、
前記負荷に供給される前記直流電流を検出するとともに、前記パラメータ生成装置により生成される制御パラメータを記憶し、前記検出された直流電流と前記記憶した制御パラメータとに基づいて、前記負荷に供給される前記直流電流が定電流となるように前記スイッチング素子のスイッチング動作を行う駆動パルスを生成する制御部を有し、
前記制御部は、
少なくとも前記負荷に供給される前記直流電流の検出結果に応じた帰還量を確定して出力する帰還回路と、
少なくとも前記制御パラメータを記憶する記憶回路と、
少なくとも前記帰還量と前記制御パラメータとに基づいて、前記負荷に供給される直流電流が定電流となるように前記スイッチング素子のスイッチング動作を行う駆動パルスを生成して出力する制御回路と、を備え、
前記パラメータ生成装置から出力される制御指令に基づき、前記信号伝送部を経由した前記パラメータ生成装置との間の信号伝送経路を確定するとともに、前記パラメータ生成装置から伝送される、少なくとも前記負荷に供給される前記直流電流と前記交流電源から供給される前記交流電圧とのいずれか一方に対応した制御パラメータを、前記記憶回路に記憶させる制御を行う
ことを特徴とする電源装置システム。
【請求項２】
前記制御回路は、
少なくとも前記帰還量と前記制御パラメータとに基づいて、前記負荷に供給される前記直流電流が定電流となるように前記スイッチング素子のスイッチング動作を行う駆動パルスを生成して出力する機能を有するとともに、前記パラメータ生成装置からの前記制御指令に基づき、前記信号伝送部を経由した前記パラメータ生成装置との間の信号伝送路を確定する機能と、前記パラメータ生成装置から伝送される、少なくとも前記負荷に供給される直流電流と前記交流電源から供給される交流電圧とのいずれか一方に対応した制御パラメータを、前記記憶回路に記憶させる機能を更に有することを特徴とする請求項１記載の電源装置システム。
【請求項３】
前記パラメータ生成装置は、
少なくとも可視化された操作選択情報に基づいて前記制御パラメータの基となる仕様設定情報を選択して入力する入力部と、
前記仕様設定情報に基づいて前記スイッチング電源装置の制御パラメータを設定する設定シーケンスを実行する処理部と、
を有することを特徴とする請求項１又は２に記載の電源装置システム。
【請求項４】
前記可視化された操作選択情報は、
画面に表示されるとともに選択操作の選択対象となっている、
ことを特徴とする請求項３記載の電源装置システム。
【請求項５】
前記制御パラメータは、
前記負荷に供給される前記直流電流に基づく出力仕様パラメータと、前記交流電源から供給される前記交流電圧に基づく入力仕様パラメータのうちの、少なくとも一つを含むことを特徴とする請求項１〜３のいずれか１項記載の電源装置システム。
【請求項６】
前記処理部は、
前記仕様設定情報に基づいて、少なくとも、前記信号伝送部を経由した前記パラメータ生成装置と前記スイッチング電源装置の制御部との信号伝送経路を確定させる信号経路設定処理と、
前記制御パラメータを前記スイッチング電源装置の制御部に設定する仕様設定処理と、
前記設定した制御パラメータを確定する仕様確定処理と、
を含む設定シーケンスを実行することを特徴とする請求項３または４に記載の電源装置システム。
【請求項７】
少なくとも負荷に供給される直流電流と交流電源から供給される交流電圧とのいずれか一方に対応した制御パラメータを生成するパラメータ生成装置とは信号伝送部を経由して接続され、前記交流電圧をスイッチング素子のスイッチング動作により所定の直流電流に変換して前記負荷に供給するスイッチング電源装置であって、
前記負荷に供給される前記直流電流を検出するとともに前記パラメータ生成装置により生成される制御パラメータを記憶し、前記検出された直流電流と、前記記憶した制御パラメータとに基づいて、前記負荷に供給される前記直流電流が定電流となるように前記スイッチング素子のスイッチング動作を行う駆動パルスを生成する制御部を有し、
前記制御部は、
少なくとも前記負荷に供給される前記直流電流の検出結果に応じた帰還量を確定して出力する帰還回路と、
少なくとも前記制御パラメータを記憶する記憶回路と、
少なくとも前記帰還量と前記制御パラメータとに基づいて、前記負荷に供給される直流電流が定電流となるように前記スイッチング素子のスイッチング動作を行う駆動パルスを生成して出力する制御回路と、を備え、
前記パラメータ生成装置から出力される制御指令に基づき、前記信号伝送部を経由した前記パラメータ生成装置との間の信号伝送経路を確定するとともに、前記パラメータ生成装置から伝送される、少なくとも前記負荷に供給される前記直流電流と前記交流電源から供給される前記交流電圧とのいずれか一方に対応した制御パラメータを、前記記憶回路に記憶させる制御を行う
ことを特徴とするスイッチング電源装置。
【請求項８】
交流電源から供給される交流電圧をスイッチング素子のスイッチング動作により所定の直流電流に変換して負荷に供給するスイッチング電源装置とは信号伝送部を経由して接続され、少なくとも前記負荷に供給される直流電流と前記交流電圧とのいずれか一方に対応した制御パラメータを生成するパラメータ生成装置であって、
少なくとも可視化された操作選択情報に基づいて、前記負荷に供給される直流電流に基づく出力仕様と前記交流電源から供給される交流電圧に基づく入力仕様のうちの少なくとも一つを含む、前記制御パラメータの基となる仕様設定情報を選択して入力する入力部と、
前記仕様設定情報を前記スイッチング電源装置の制御パラメータとして設定するにあたり、前記信号伝送部を経由した前記スイッチング電源装置との間の信号伝送経路を確定させる信号経路設定処理と、前記制御パラメータを前記スイッチング電源装置に設定する仕様設定処理と、当該設定した制御パラメータを確定する仕様確定処理と、を含む設定シーケンスを実行する処理部と、
を有することを特徴とするパラメータ生成装置。
【請求項９】
コンピュータによって実行され、交流電源から供給される交流電圧をスイッチング素子のスイッチング動作により所定の直流電流に変換して負荷に供給するスイッチング電源装置とは信号伝送部を経由して接続され、少なくとも前記負荷に供給される直流電流と前記交流電圧とのいずれか一方に対応した制御パラメータを生成するパラメータ生成装置のプログラムであって、
前記コンピュータに、
画面に表示される操作選択情報に基づいて、前記負荷に供給される直流電流に基づく出力仕様と前記交流電源から供給される交流電圧に基づく入力仕様のうちの少なくとも一つを含む、前記制御パラメータの基となる仕様設定情報を選択して入力する入力処理と、
前記仕様設定情報に基づいて、前記信号伝送部を経由した前記スイッチング電源装置との間の信号伝送経路を確定させ、前記仕様設定情報を前記スイッチング電源装置に制御パラメータとして設定し、当該設定した制御パラメータを確定する設定シーケンス実行処理と、
を実行させるプログラム。
【発明の詳細な説明】
【技術分野】
【０００１】
本発明は、電源装置システム、スイッチング電源装置、同装置への制御パラメータ生成装置、ならびにそのプログラムに関する。
【背景技術】
【０００２】
定電流で駆動するＬＥＤ（Light Emitted Diode）負荷に供給する直流電流を得るための交流電源電圧を高効率に変換する電源装置として、例えば、特許文献１に開示された技術が知られている。
【０００３】
特許文献１に開示された技術によれば、電流制御回路で使用される制御信号を監視することにより、ＬＥＤの順方向電圧降下が小さい、すなわち、ＬＥＤの性能が良くＦＥＴ（Field Effect Transistor）の負担電圧が大きくなってしまう場合、ＬＥＤの電源電圧そのものを下げることにより、ＦＥＴが消費する無駄な電力を減らして省電力化を実現するものである。しかしながら、ＬＥＤ負荷の特性や品種の増加、あるいはＬＥＤ負荷や電源装置を備えた照明装置全体の仕様や機種の増加に伴い設計コストの増大が危惧されるといった課題がある。
【０００４】
一方、回路の構成や部品の定数等のハードウェアの設計変更に依存することなく、電源装置の特性や仕様を変更可能にしたスイッチング電源装置およびその制御プログラム生成装置として、例えば、特許文献２に開示された技術が知られている。
【０００５】
特許文献２に開示された技術によれば、入力電圧や負荷の変更等による設計変更が容易になり、回路部品の変更を要すること無く仕様変更を実現できる。特に、アセンブルメーカはユーザ側独自の仕様を回路に反映させることができ、装置メーカは同一の電源装置のみ製造すればよいため設計コストや製造コストを低減することが可能である。
【先行技術文献】
【特許文献】
【０００６】
【特許文献１】特開２００５−１１６７３８号公報
【特許文献２】ＷＯ２００９／１３３７２３パンフレット
【発明の概要】
【発明が解決しようとする課題】
【０００７】
ところで、上記した特許文献２に開示された技術によれば、外部装置からのスイッチング電源装置制御プログラムや特性パラメータの通信は、ライタとスイッチング電源装置のデータ取り込み部との物理的な接触によるものと推測される。しかしながら、特許文献２には、制御プログラムや特性パラメータについての具体的な記述が無く、したがって上記した課題を解決するには不十分である。
【０００８】
本発明は上記した課題を解決するためになされたものであり、回路の構成や部品の定数等のハードウェアの設計変更を伴うことなく特性や仕様の変更を低いコストで実現する、電源装置システム、スイッチング電源装置、同装置への制御パラメータ生成装置、ならびにそのプログラムを提供することを目的とする。
【課題を解決するための手段】
【０００９】
上記した課題を解決するために本発明の第１の観点に係る電源装置システムは、交流電源から供給される交流電圧をスイッチング素子のスイッチング動作により所定の直流電流に変換して負荷に供給するスイッチング電源装置と、少なくとも前記負荷に供給される直流電流と前記交流電圧とのいずれか一方に対応した制御パラメータを生成するパラメータ生成装置と、前記スイッチング電源装置と前記パラメータ生成装置との間にあって、前記パラメータ生成装置により生成される制御パラメータを前記スイッチング電源装置に伝送する信号伝送部と、を備えた電源装置システムであって、前記スイッチング電源装置は、前記負荷に供給される前記直流電流を検出するとともに、前記パラメータ生成装置により生成される制御パラメータを記憶し、前記検出された直流電流と前記記憶した制御パラメータとに基づいて、前記負荷に供給される前記直流電流が定電流となるように前記スイッチング素子のスイッチング動作を行う駆動パルスを生成する制御部、を有し、前記制御部は、少なくとも前記負荷に供給される前記直流電流の検出結果に応じた帰還量を確定して出力する帰還回路と、少なくとも前記制御パラメータを記憶する記憶回路と、少なくとも前記帰還量と前記制御パラメータとに基づいて、前記負荷に供給される直流電流が定電流となるように前記スイッチング素子のスイッチング動作を行う駆動パルスを生成して出力する制御回路と、を備え、前記パラメータ生成装置から出力される制御指令に基づき、前記信号伝送部を経由した前記パラメータ生成装置との間の前記信号伝送経路を確定するとともに、前記パラメータ生成装置から伝送される、少なくとも前記負荷に供給される前記直流電流と前記交流電源から供給される前記交流電圧とのいずれか一方に対応した制御パラメータを、前記記憶回路に記憶させる制御を行うことを特徴とする。
【００１０】
本発明によれば、スイッチング電源装置は、制御部により、負荷に供給される直流電流を検出するとともに、パラメータ生成装置により生成される制御パラメータを記憶し、検出された直流電流と記憶した制御パラメータとに基づいて、負荷に供給される直流電流が定電流となるようにスイッチング素子のスイッチング動作を行う駆動パルスを生成する。このため、スイッチング電源装置では、スイッチング素子のスイッチング動作を、記憶した制御パラメータを用いて制御することができ、したがって、回路の構成や部品の定数等のハードウェアの変更を伴わずに特性や仕様の変更が可能になる電源装置システムを提供することができる。
【００１２】
本発明において、前記制御回路は、少なくとも前記帰還量と前記制御パラメータとに基づいて、前記負荷に供給される前記直流電流が定電流となるようにスイッチング素子のスイッチング動作を行う駆動パルスを生成して出力する機能を有するとともに、前記パラメータ生成装置からの前記制御指令に基づき、前記信号伝送部を経由した前記パラメータ生成装置との間の信号伝送路を確定する機能と、前記パラメータ生成装置から伝送される、少なくとも前記負荷に供給される直流電流と前記交流電源から供給される交流電圧とのいずれか一方に対応した制御パラメータを、前記記憶回路に記憶させる制御を行うことを特徴とする。
【００１３】
本発明において、前記パラメータ生成装置は、少なくとも可視化された操作選択情報に基づいて前記制御パラメータの基となる仕様設定情報を選択して入力する入力部と、前記仕様設定情報に基づいて前記スイッチング電源装置の制御パラメータを設定する設定シーケンスを実行する処理部と、を有することを特徴とする。
【００１４】
本発明において、前記可視化された操作選択情報は、画面に表示されるとともに前記選択操作の選択対象となっている、ことを特徴とする。
【００１５】
本発明において、前記制御パラメータは、前記負荷に供給される前記直流電流に基づく出力仕様パラメータと、前記交流電源から供給される前記交流電圧に基づく入力仕様パラメータのうちの、少なくとも一つを含むことを特徴とする。
【００１６】
本発明において、前記処理部は、前記仕様設定情報に基づいて、少なくとも、前記信号伝送部を経由した前記パラメータ生成装置と前記スイッチング電源装置の制御部との信号伝送経路を確定させる信号経路設定処理と、前記制御パラメータを前記スイッチング電源装置の制御部に設定する仕様設定処理と、前記設定した制御パラメータを確定する仕様確定処理と、を含む設定シーケンスを実行することを特徴とする。
【００１７】
本発明の第２の観点に係るスイッチング電源装置は、少なくとも負荷に供給される直流電流と交流電源から供給される交流電圧とのいずれか一方に対応した制御パラメータを生成するパラメータ生成装置とは信号伝送部を経由して接続され、前記交流電圧をスイッチング素子のスイッチング動作により所定の直流電流に変換して前記負荷に供給するスイッチング電源装置であって、前記負荷に供給される直流電流を検出するとともにパラメータ生成装置により生成される制御パラメータを記憶し、前記検出された直流電流と前記記憶した制御パラメータとに基づいて、前記負荷に供給される前記直流電流が定電流となるように前記スイッチング素子のスイッチング動作を行う駆動パルスを生成する制御部、を有し、前記制御部は、少なくとも前記負荷に供給される前記直流電流の検出結果に応じた帰還量を確定して出力する帰還回路と、少なくとも前記制御パラメータを記憶する記憶回路と、少なくとも前記帰還量と前記制御パラメータとに基づいて、前記負荷に供給される直流電流が定電流となるように前記スイッチング素子のスイッチング動作を行う駆動パルスを生成して出力する制御回路と、を備え、前記パラメータ生成装置から出力される制御指令に基づき、前記信号伝送部を経由した前記パラメータ生成装置との間の前記信号伝送経路を確定するとともに、前記パラメータ生成装置から伝送される、少なくとも前記負荷に供給される前記直流電流と前記交流電源から供給される前記交流電圧とのいずれか一方に対応した制御パラメータを、前記記憶回路に記憶させる制御を行うことを特徴とする。
【００１８】
本発明によれば、制御部が、負荷に供給される直流電流を検出するとともに、パラメータ生成装置により生成される制御パラメータを記憶し、検出された直流電流と記憶した制御パラメータとに基づいて、負荷に供給される直流電流が定電流となるようにスイッチング素子のスイッチング動作を行う駆動パルスを生成する。このため、スイッチング素子の制御を記憶した制御パラメータを用いて実行することができ、したがって、回路の構成や部品の定数等のハードウェアの変更を伴わずに特性や仕様の変更が可能になるスイッチング電源装置を提供することができる。
【００１９】
本発明の第３の観点に係るパラメータ生成装置は、交流電源から供給される交流電圧をスイッチング素子のスイッチング動作により所定の直流電流に変換して負荷に供給するスイッチング電源装置とは信号伝送部を経由して接続され、少なくとも前記負荷に供給される直流電流と前記交流電圧とのいずれか一方に対応した制御パラメータを生成するパラメータ生成装置であって、少なくとも可視化された操作選択情報に基づいて、前記負荷に供給される直流電流に基づく出力仕様と前記交流電源から供給される交流電圧に基づく入力仕様のうちの少なくとも一つを含む、前記制御パラメータの基となる仕様設定情報を選択して入力する入力部と、前記仕様設定情報を前記スイッチング電源装置の制御パラメータとして設定するにあたり、前記信号伝送部を経由した前記スイッチング電源装置との間の信号伝送経路を確定させる信号経路設定処理と、前記制御パラメータを前記スイッチング電源装置に設定する仕様設定処理と、当該設定した制御パラメータを確定する仕様確定処理と、を含む設定シーケンスを実行する処理部と、を有することを特徴とする。
【００２０】
本発明によれば、処理部は、入力部から入力された仕様設定情報をスイッチング電源装置に制御パラメータとして設定するにあたり、信号伝送部を経由したスイッチング電源装置との間の信号伝送経路を確定させる信号経路設定処理と、制御パラメータをスイッチング電源装置に設定する仕様設定処理と、当該設定した制御パラメータを確定する仕様確定処理と、を含む設定シーケンスを実行する。このため、設定シーケンスの実行によって制御パラメータの設定および確定がなされたスイッチング電源装置では、確定した制御パラメータを用いてスイッチング素子の制御を行うことが出来、したがって、回路の構成や部品の定数等のハードウェアの変更を伴わずに特性や仕様の変更が可能になる。
【００２１】
本発明の第４の観点に係るプログラムは、コンピュータによって実行され、交流電源から供給される交流電圧をスイッチング素子のスイッチング動作により所定の直流電流に変換して負荷に供給するスイッチング電源装置とは信号伝送部を経由して接続され、少なくとも前記負荷に供給される直流電流と前記交流電圧とのいずれか一方に対応した制御パラメータを生成するパラメータ生成装置のプログラムであって、前記コンピュータに、画面に表示される操作選択情報に基づいて、前記負荷に供給される直流電流に基づく出力仕様と前記交流電源から供給される交流電圧に基づく入力仕様のうちの少なくとも一つを含む、前記制御パラメータの基となる仕様設定情報を選択して入力する入力処理と、前記仕様設定情報に基づいて、前記信号伝送部を経由した前記スイッチング電源装置との間の信号伝送経路を確定させ、前記仕様設定情報を前記スイッチング電源装置に制御パラメータとして設定し、当該設定した制御パラメータを確定する設定シーケンス実行処理と、を実行させることを特徴とする。
【００２２】
本発明によれば、コンピュータ（パラメータ生成装置）は、当該プログラムを逐次読み出し実行することにより、画面に表示される操作選択情報に基づいて、負荷に供給される直流電流に基づく出力仕様と前記交流電源から供給される交流電圧に基づく入力仕様のうちの少なくとも一つを含む、制御パラメータの基となる仕様設定情報を選択して入力し、ここで入力された仕様設定情報に基づいて、信号伝送部を経由したスイッチング電源装置との間の信号伝送経路を確定させ、入力された仕様設定情報をスイッチング電源装置に制御パラメータとして設定し、設定した制御パラメータを確定する一連の処理を、設定シーケンス実行処理として実行する。このため、設定シーケンス実行処理によって制御パラメータの設定および確定がなされたスイッチング電源装置では、確定した制御パラメータを用いてスイッチング素子の制御を行うことが出来、したがって、回路の構成や部品の定数等のハードウェアの変更を伴わずに特性や仕様の変更が可能になる。
【発明の効果】
【００２３】
本発明によれば、回路の構成や部品の定数等のハードウェアの設計変更を伴うことなく特性や仕様の変更を低いコストで実現する、電源装置システム、スイッチング電源装置、同装置への制御パラメータ生成装置、ならびにそのプログラムを提供することができる。
【図面の簡単な説明】
【００２４】
【図１】本発明の実施の形態に係る電源装置システムの構成を示すブロック図である。
【図２】本発明の実施の形態に係る電源装置システムのデータ通信における要部構成を示すブロック図である。
【図３】本発明の実施の形態に係る制御パラメータ生成装置のユーザインタフェースを示す図である。
【図４】本発明の実施の形態に係る制御パラメータ生成装置におけるユーザ操作と制御パラメータの設定との関係を表形式で示した図である。
【図５】本発明の実施の形態に係る制御パラメータ生成装置による制御パラメータ設定シーケンスの実行イメージを示す図である。
【図６】本発明の実施の形態に係る電源装置システムの動作シーケンスを示す図である。
【図７】本発明の実施の形態に係る制御パラメータ生成装置の動作を示すフローチャートである。
【発明を実施するための形態】
【００２５】
以下、添付図面を参照して本発明を実施するための実施の形態（以下、単に本実施形態という）について詳細に説明する。
【００２６】
（実施形態の構成）
図１は、本実施形態に係る電源装置システム６００の構成を示すブロック図である。図１に示されるように、本実施形態に係る電源装置システム６００は、スイッチング電源装置１と、信号伝送部４と、制御パラメータの生成装置として用いられるパラメータ生成装置５（以下、ホストシステム５ともいう）とを含み構成される。
【００２７】
スイッチング電源装置１は、交流電源３から電力（交流電圧Ｖａｃ）の供給を受け、内蔵するスイッチング素子（コンバータ回路）のスイッチング動作により所定の直流電流に変換してＬＥＤ等の定電流負荷２に対して定電流を供給する。ここでは更に、定電流負荷２に供給される直流電流を検出するとともに、ホストシステム５により生成される制御パラメータを記憶し、検出された直流電流と記憶した制御パラメータとに基づいて、定電流負荷２に供給される直流電流が定電流となるように内蔵のスイッチング素子のスイッチング動作を行う駆動パルスを生成する。
【００２８】
このため、スイッチング電源装置１は、電力変換部１１と、制御部１２と、インタフェース回路Ｂ（１３）とにより構成される。電力変換部１１は、交流電源３から電力を得て、内蔵するスイッチング素子によって定電流負荷２を駆動するのに必要な一定の直流電力に変換するスイッチングレギュレータであり、フィルタ回路１１１と、整流回路１１２と、ＰＦＣ（Power Factor Correction）回路１１３と、スイッチング素子を内蔵するコンバータ回路１１４とを含み構成される。なお、定電流負荷２と帰還回路１２３との間に接続された抵抗Ｒ１は、帰還回路１２３が定電流負荷２に流れる電流を検出するための電流検出素子である。
【００２９】
制御部１２は、定電流負荷２に供給される直流電流を検出するとともに、ホストシステム５により生成される制御パラメータを記憶し、検出された直流電流と記憶した制御パラメータとに基づいて、定電流負荷２に供給される直流電流が定電流となるようにスイッチング素子のスイッチング動作を行う駆動パルスを生成する。このため、制御部１２は、定電流負荷２に供給される直流電流の検出結果に応じた帰還量を確定して出力する帰還回路１２３（Ｆ／Ｂ回路１２３）と、制御パラメータを記憶する記憶回路１２１と、帰還回路１２３による帰還量と記憶回路１２１に記憶された制御パラメータとに基づいて、定電流負荷２に供給される直流電流が定電流となるようにスイッチング素子のスイッチング動作を行う駆動パルスを生成して電力変換部１１に出力する、例えばマイクロコントローラにより構成される制御回路１２２と、を含む一体化された演算回路で構成される。
【００３０】
制御回路１２２は、ホストシステム５から出力される制御指令（リード／ライトコマンド）に基づき、信号伝送部４を経由したホストシステム５との間の信号伝送経路を確定するとともに、ホストシステム５から伝送される、少なくとも定電流負荷２に供給される直流電流と交流電源３から供給される交流電圧とのいずれか一方に対応した制御パラメータを記憶回路１２１に記憶させる制御を行う。また、制御回路１２２は、帰還回路１２３による帰還量と記憶回路１２１に記憶された制御パラメータとに基づいて、定電流負荷２に供給される直流電流が定電流となるようにコンバータ回路１１４に含まれるスイッチング素子のスイッチング動作を行う駆動パルスを生成する。
【００３１】
インタフェース（Ｉ／Ｆ）回路Ｂ（１３）は、スイッチング電源装置１と信号伝送部４との間で、例えば、ＲＳ（Recommended Standard）−２３２Ｃインタフェースに基づくデータ伝送を行う。なお、データ伝送は、インターネットやＬＡＮ（Local Area Network）等のネットワーク経由で行われても良く、また、ＷｉＦｉ（登録商標）やＺｉｇＢｅｅ（登録商標）等の無線によるデータ伝送も考えられる。
【００３２】
なお、本実施形態に係るスイッチング電源装置１では、制御部１２は、記憶回路１２１と制御回路１２２と帰還回路１２３とを一体化した演算回路で構成するものとして説明したが、各構成要素のすべて、またはその一部は独立した回路や部品で構成しても良いものとする。
【００３３】
また、図１に示すスイッチング電源装置１では、制御回路１２２で生成されコンバータ回路１１４に含まれるスイッチング素子のスイッチング動作を行う駆動パルスが、制御回路１２２から帰還回路１２３を経由してコンバータ回路１１４に供給される経路として記載しているが、駆動パルスは他の経路で供給されても良いものとする。
【００３４】
信号伝送部４は、スイッチング電源装置１とホストシステム５との間にあって、ホストシステム５により生成される制御パラメータをスイッチング電源装置１に設定する際の通信を行う。このため、フォーマット変換を行う信号変換器４１を内蔵する。ここでは、ＲＳ−２３２Ｃインタフェースによる有線の信号伝送形式とするが、無線による信号伝送形式でもよく、その場合、スイッチング電源装置１が有するインタフェース部回路Ｂ（１３）と後述するホストシステム５が有するインタフェース回路Ａ（５１）に有線／無線の変換機能を備えることで、信号変換器４１を不要とする回路構成で通信を行うことも可能である。
【００３５】
なお、本実施形態に係る電源装置システム６００では、信号伝送部４を要するものとして説明するが、ＰＬＣ（Power Line Communication：電力線通信）等を使用して独立した信号伝送部４を必要としない方式でも良いものとする。
【００３６】
ホストシステム５は、定電流負荷２に供給される直流電流と交流電源３により供給される交流電圧とのいずれか一方に対応した制御パラメータを生成する、例えば、ＰＣ（Personal Computer）により構成される制御パラメータ生成装置である。ここでいう制御パラメータは、定電流負荷２に供給される直流電流に基づく出力仕様パラメータと、交流電源３から供給される交流電圧に基づく入力仕様パラメータのうちの少なくとも一つを含む。このため、ホストシステム５は、インタフェース回路Ａ（５１）と、処理部５２と、入力部５３とを含み構成される。
【００３７】
インタフェース回路Ａ（５１）は、信号伝送部４との間で、例えば、ＲＳ−２３２Ｃインタフェースに基づくデータ伝送を行う。入力部５３は、ユーザインタフェースとしての機能を有し、例えば、画面に表示される操作選択情報に基づき入力される、定電流負荷２に供給される直流電流に基づく出力仕様と、交流電源３から供給される交流電圧に基づく入力仕様のうちの少なくとも一つの仕様設定情報を取り込み、処理部５２へ出力する。処理部５２は、入力部５３から出力された仕様設定情報をスイッチング電源装置１の制御パラメータとして設定するにあたり、信号伝送部４を経由したスイッチング電源装置１との間の信号伝送経路を確定させる処理と、制御パラメータをスイッチング電源装置１に設定する処理と、当該設定した制御パラメータを確定する処理とにより、設定シーケンスの実行を行う、アプリケーションプログラムを実行する機能を有する。
【００３８】
なお、本実施形態に係るパラメータ生成装置（ホストシステム５）は、上記した機能を有するアプリケーションプログラムを実行するＰＣを用いた構成とするが、入力部５３と処理部５２等の各構成要素のすべて、またはその一部が独立した構成でも良く、また、ＰＣの使用は必須でなく、例えば、信号伝送部４を含む制御パラメータ設定のための機器として設計されたものであってもよい。
【００３９】
図２は、図１に示す電源装置システム６００のデータ通信に係る要部構成を示すブロック図である。図２において、図１に示す符号と同じ符号が付されたブロックは図１に示すそれと同じとする。図２において、ホストシステム５は、接続部Ａ（５４）を介して信号伝送部４の接続部Ｂ（４２）に接続される。ここで、接続部Ａ（５４）と接続部Ｂ（４２）は、ともに、Ｄ−ｓｕｂ９ピン、ＵＳＢ（Universal Serial Bus）等のコネクタとする。一方、スイッチング電源装置１は、接続部Ｄ（１４）を介して信号伝送部４の接続部Ｃ（４３）に接続される。ここで、接続部Ｄ（１４）は専用端子Ｂ、接続部Ｃ（４３）は専用端子Ａとする。なお、図中、Ｔｘは送信ライン、Ｒｘは受信ラインである。また、接続部Ａ（５４）および接続部Ｂ（４２）を介して、インタフェース回路Ａ（５１）の送信ラインＴｘと受信ラインＲｘと信号変換器４１の受信ラインＲｘと送信ラインＴｘとがそれぞれ接続され、接続部Ｃ（４３）および接続部Ｄ（１４）を介して、信号変換器４１の送信ラインＴｘと受信ラインＲｘとインタフェース回路Ｂ（１３）の受信ラインＲｘと送信ラインＴｘとがそれぞれ接続される。
【００４０】
接続部Ａ（５４）、接続部Ｂ（４２）、接続部Ｃ（４３）、接続部Ｄ（１４）は、上述したコネクタの種類に制限されるものではない。特に、接続部Ｄ（１４）は、スイッチング電源装置１が図示せぬ筐体で覆われている場合には、筐体に開口部を設けて設置されても良く、またはスイッチング電源装置１を構成する制御回路１２２が実装されるプリント基板に実装されても良い。なお、ホストシステム５において、インタフェース回路Ａ（５１）を用いずに、信号伝送部４の信号変換器４１から出力されるフォーマットのままスイッチング電源装置１の制御回路１２２に接続する構成としてもよい。
【００４１】
図３は、本実施形態に係るパラメータ生成装置（ホストシステム５）が提供するユーザインタフェースを説明するために引用した入力部５３の模式図である。図３に示されるように、入力部５３は、操作部５３１と表示部５３２とで構成される。パラメータ生成装置（ホストシステム５）は、前述のとおりＰＣを用いた構成としており、操作部５３１は、ＰＣに接続されたキーボードやマウス等の入力デバイスと、ＰＣに接続されたディスプレイに表示される操作画面とにより構成される。ここで、操作画面は、接続設定部５３３と、仕様設定部５３４とに領域分けされた画面構成が採用される。接続設定部５３３には、接続操作釦５３５と端子選択釦５３６が、仕様設定部５３４には、確定操作釦５３７と変更操作釦５３８がそれぞれ割り付けられて表示される。これらの釦の機能については後述する。
【００４２】
表示部５３２は、ホストシステム５とスイッチング電源装置１とが信号伝送部４を介して接続されておりデータ通信を実行できる状態にあることと、ユーザが操作部５３１を操作することによって取り込まれる仕様設定情報を確認できる表示ができれば良いものとし、このためのディスプレイとしての形態や性能を制限するものではない。したがって、ＰＣに接続されるディスプレイの他に、例えば、インジケータの点灯／消灯、点滅、色表示等で代替してもよい。また、この際、操作部５３１を構成する各釦は、制御パラメータ設定のための機器に操作可能に配置されていれば良いものとする。
【００４３】
図４に、ユーザによる操作とスイッチング電源装置１への制御パラメータの設定との関係が表形式で示されている。ここでは、出力仕様（負荷電流仕様）の設定を図４（ａ）に、入力仕様（交流入力電圧）の設定を図４（ｂ）に、保護仕様パラメータの設定を図４（ｃ）にそれぞれ示している。
【００４４】
図４（ａ）によれば、操作部５３１の操作画面上に、例えば、プルダウン形式（図６のＷ１を参照）で表示される出力仕様（負荷電流値）に係る設定項目をユーザが選択操作することにより、ホストシステム５がその内容を取り込み、その設定項目に応じて目標電流値や制御回路１２２のゲインからなる定電流制御パラメータを生成して、スイッチング電源装置１の制御部１２に設定する。設定方法は、出力仕様である負荷電流値を直接入力する方法であっても良い。なお、図４（ａ）において、設定可能な出力仕様（負荷電流値）の設定可能範囲と種類（数）は設計仕様に依存する。
【００４５】
図４（ａ）において、出力仕様（負荷電流値）に係る設定項目は、定電流負荷２を構成し負荷電流値を決定する要素となるＬＥＤ等の数や接続方法、またはこれらを組合せた項目としてもよく、この場合、定電流負荷が設置される電子機器や設備の配線仕様に応じて出力仕様を設定するユーザに、利便性をもたらすことができる。
【００４６】
図４（ｂ）によれば、操作部５３１の操作画面上に、例えば、プルダウン形式（図６のＷ１を参照）で表示される入力仕様（交流入力電圧値）に係る設定項目をユーザが選択操作することにより、ホストシステム５がその内容を取り込み、設定項目に応じて目標電流値や目標電圧値、基準電圧値、制御回路１２２のゲインからなる定電流制御パラメータを生成して、スイッチング電源装置１の制御部１２に設定する。設定方法は、入力仕様である交流入力電圧値を直接入力する方法であっても良い。なお、図４（ｂ）において、設定可能な入力仕様（交流入力電圧）の設定可能範囲と種類（数）は設計仕様に依存する。一般家庭用途の商用交流電源の電圧値として、１００Ｖ，１１０Ｖ，１２０Ｖ，１２７Ｖ，２００Ｖ，２２０Ｖ，２３０Ｖ，２４０Ｖ，２５０Ｖ，２７７Ｖ等が知られている。詳細は、ＵＲＬ１等に詳細に開示されている。
（ＵＲＬ１）http://users.telenet.be/worldstandards/electricity.htm
【００４７】
図４（ｂ）において、予め、一般家庭用途と事業場用途との用途別電圧値リストをそれぞれ作成し、所望の用途別電圧値リストを選択させるユーザインタフェースを提供することにより、ユーザに利便性をもたらすことができる。また、予め、アジア、北米、欧州等に対応した地域別電圧値リストを作成し、所望の用途別電圧値リストを選択させるユーザインタフェースを提供するようにしてもよい。このとき、設定項目を電圧値に変えてよりわかりやすい国名等にすれば一層の利便性向上が図れ、操作上の信頼性も高めることができる。
【００４８】
図４（ｃ）によれば、操作部５３１の操作画面に、例えば、プルダウン形式（図６のＷ１を参照）で表示される、過電圧入力保護、過電圧出力保護、過電流出力保護等の保護仕様に係る設定項目をユーザが設定操作することにより、ホストシステム５がその内容を取り込み、その設定項目に応じて閾値や最小・最大許容値、時定数（ウエイト時間）等、設定項目に応じた保護機能制御パラメータを生成して、スイッチング電源装置１の制御部１２に設定する。なお、図４（ｃ）において、設定項目の内容は設計仕様に依存する。また、保護仕様の設定は、出力仕様と入力仕様の設定に連動させることで設定を自動化することができ、この場合、個別の操作を不要とするためユーザの負担を軽減するとともに、保護仕様の設定ミスに起因してスイッチング電源装置１や定電流負荷２に発生し得る事故を、未然に防ぐ効果もある。
【００４９】
なお、図４（ａ）（ｂ）（ｃ）に示した制御パラメータは、一例であって、他の制御パラメータが含まれていても良い、ここでは、定電流負荷２としてＬＥＤが例示されているため少なくとも目標電流値は必要である。
【００５０】
図５に、本実施形態に係るパラメータ生成装置（ホストシステム５）によるアプリケーションプログラム（以下、単にプログラムという）の実行イメージが示されている。図５において、図１に示す符号と同じ符号が付されたブロックは図１に示すそれと同じとする。本実施形態に係るプログラムは、制御パラメータを設定するための操作と状態表示とを兼ねた操作画面をＰＣ上のディスプレイ上に表示する機能を備えている。ユーザは、図５に示す状態表示部に表示される仕様設定情報を確認しながら、キーボードやポインティングデバイスを用い、接続設定部や仕様設定部に割り付けられて表示される各種釦を操作することにより制御パラメータの設定ができるユーザインタフェースを提供する構成になっている。
【００５１】
なお、状態表示部には、制御パラメータの情報や設定処理の結果（ＯＫ／ＮＧ）情報等が表示される。また、状態表示部の情報表示機能は、図３に示したように、接続設定部５３３や仕様設定部５３４の領域に直接表示させることによっても実現できる。また、制御パラメータは、インターネットやＬＡＮ等のネットワークを経由して、あるいは、ＣＤ−ＲＯＭやＵＳＢメモリ等の記録媒体を用いて配布する方法も考えられる。
【００５２】
また、本実施形態に係る上記プログラムは、パラメータ生成装置（ホストシステム５）が記憶し実行するものであるが、スイッチング電源装置１の製造段階で、制御部１２の記憶部１２１に記憶され、制御回路１２２がそのプログラムを逐次読み出し実行することにより、上記した機能を実現するものであっても良い。
【００５３】
（実施形態の動作）
図６は、本実施形態に係る電源装置システム６００の動作シーケンス図であり、ここでは、ホストシステム５とスイッチング電源装置１間の動作シーケンスが示されている。以下、図６の動作シーケンス図を参照しながら、図１〜図５に示した本実施形態に係る電源装置システム６００の動作について詳細に説明する。
【００５４】
まず、ユーザがホストシステム５により提供されるユーザインタフェースを用いて操作画面の接続設定部５３３に割り当てられ表示される「端子選択釦」５３６を操作し（ＳＨ１）、続いて、「接続操作釦」５３５を操作したとする（ＳＨ２）。この操作に応答して入力部５３はその内容を取り込み、処理部５２に引き渡す。これを受けて処理部５２は信号伝送部４を経由してスイッチング電源装置１の制御部１２に対して制御指令（設定状態読み込みコマンド）を送信する。設定状態読み込みコマンドの送信により、ホストシステム５はスイッチング電源装置１における現在の設定状態の問い合わせを行う（Ｔ１）。
【００５５】
スイッチング電源装置１（制御部１２）は、ホストシステム５から送信された設定状態読み込みコマンドを受信すると、制御回路１２２が、記憶回路１２１に記憶されている現在のスイッチング電源装置１の設定状態に関するデータを読み出し（ＳＣ１）、信号伝送部４を介してホストシステム５に通知する（Ｒ１）。続いてホストシステム５では、処理部５２が、通知された現在のスイッチング電源装置１の設定状態に関するデータに基づき表示データを生成して入力部５３に引き渡す。これを受けた入力部５３は、スイッチング電源装置１の現在の設定状態を表示部５３２に画面表示する（ＳＨ３）。ここでは、設定されているスイッチング電源装置１の仕様に基づく制御パラメータに関する情報の設定状態が表示される。
【００５６】
なお、表示部５３２に表示される状態表示の中には、スイッチング電源装置１の種類が複数存在する場合のモデル番号等の機種情報、設定処理の結果情報、ガイダンスやエラーメッセージ等、接続や操作に関する支援情報を表示させてもよい。
【００５７】
画面によりスイッチング電源装置１の現在の設定状態を確認したユーザは、操作部５３１の操作画面の仕様設定部５３４に割り当てられ表示される「変更操作釦」５３８を操作すると、操作画面の一部にＷ１で示すプルダウンメニューがポップアップ表示される。ここで、ユーザによるプルダウンメニューを使用した入力仕様、出力仕様、保護仕様に関するそれぞれの選択設定操作が行われる（ＳＨ４〜ＳＨ６）。続いて、ユーザは「確定操作釦」５３７を操作すると、入力部５３が、入力仕様、出力仕様、保護仕様に関するそれぞれの設定内容（仕様設定情報）を取り込んで処理部５２に引き渡す。
【００５８】
仕様設定情報が引き渡された処理部５２は、スイッチング電源装置１に対して仕様変更書き込みコマンドを発行し、仕様設定情報と共に、信号伝送部４経由でスイッチング電源装置１の制御部１２に送信する（ＳＴ２）。仕様変更書き込みコマンドを受信した制御部１２は、その仕様設定情報に基づき設定状態を変更するように、制御回路１２２による制御の下、記憶回路１２１に記憶されてある設定状態の更新を行う（ステップＳＣ２）。
【００５９】
以降、スイッチング電源装置１は、制御部１２の帰還回路１２３が、定電流負荷２に供給される直流電流の検出結果に応じた帰還量を確定して制御回路１２２に出力し、これを受けた制御回路１２２が、その帰還量と、記憶回路１２１に記憶されてある更新された制御パラメータとに基づいて、定電流負荷２に供給される直流電流が定電流となるようにスイッチング素子のスイッチング動作のための駆動パルスを生成し、帰還回路１２３経由で電力変換部１１のコンバータ回路１１４に出力する。
【００６０】
次に、制御部１２は、ホストシステム５に対し、信号伝送部４経由で変更した設定状態（書き込みデータ）を通知する（Ｒ２）。これを受けてホストシステム５はその書き込みデータをベリファイして（ＳＨ８）、表示部５３２に結果（設定ＯＫ／ＮＧおよび設定状態）を表示することより仕様変更のための設定操作に関する一連の処理が終了する（ＳＨ９）。
【００６１】
なお、図６において、ステップＳ１０１〜Ｓ１０３は、ホストシステム５の処理部５２が実行する設定シーケンスを示す。ここでは、接続設定ステップ（Ｓ１０１）と、仕様設定ステップ（Ｓ１０２）と、仕様確定ステップ（Ｓ１０３）とを含む。すなわち、処理部５２は、取り込まれた仕様設定情報に基づいて実行され、信号伝送部４を経由したホストシステム５とスイッチング電源装置１の制御部１２との信号伝送経路を確定させる信号経路設定処理（Ｓ１０１）と、制御パラメータをスイッチング電源装置１の制御部１２に設定する仕様設定処理（Ｓ１０２）と、当該設定した制御パラメータを確定する仕様確定処理（Ｓ１０３）と、を実行する。
【００６２】
なお、図６において、ＳＨ１で示される接続端子の選択は必須でなく、これは、ホストシステム５からの出力系統が複数ある場合の系統選択のための機能である。また、スイッチング電源装置１が単一の電源電圧を入力する仕様の場合は、ＳＨ４で示す入力仕様の選択は不要である。更に、ＳＨ６で示される保護仕様の選択は、ＳＨ７で示される出力仕様と入力仕様の確定に連動させて自動的に設定されるものであってもよい。ここでは、接続端子の選択や各仕様を設定する方法の一例として、操作画面の一部領域に表示するプルダウンメニューを用いて選択操作する例について説明したが、直接設定入力する方法でもよい。また、仕様の確定（ＳＨ３）からデータの確認（ＳＨ８）までの期間内に、ホストシステム５と制御部１２との間で、必要に応じて書き込み介しコマンドや書き込み終了コマンドを用い、あるいはウエイト時間を設定する等により、よりスムーズに設定処理を実行することができる。
【００６３】
なお、データ通信に有線を用いる場合は、図６に示す設定シーケンスを実行する前に、ホストシステム５と制御部１２との間で物理的な接続を行うものとする。また、ホストシステム５は、直接スイッチング電源装置１を制御することはないため、交流電源３や定電流負荷２とスイッチング電源装置１とを接続した動作を行う前に、ホストシステム５や信号伝送部４は、スイッチング電源装置１と物理的に切り離されるものとする。
【００６４】
図７に本実施形態に係るパラメータ生成装置の動作がフローチャートで示されている。以下、図７のフローチャートを参照しながら、本実施形態に係るパラメータ生成装置（ホストシステム５）の動作について詳細に説明する。
【００６５】
まず、入力部５３により提供されるＵＩ操作画面に基づくユーザによる「端子選択釦」の操作があり（ステップＳ２０１“ＹＥＳ”）、かつ、「接続操作釦」の操作があり（ステップＳ２０２“ＹＥＳ”）、このことが入力部５３を介して通知された処理部５２は、スイッチング電源装置１の制御部１２に対して現在の設定状態を読み込むリードコマンド（設定状態読み込みコマンド）を送信する（ステップＳ２０３）。処理部５２は、リードコマンドに対する応答としてスイッチング電源装置１の制御部１２から現在の設定状態を示すリードデータを受信すると（ステップＳ２０４“ＹＥＳ”）、現在のスイッチング電源装置１の設定状態に関するリードデータに基づき表示データを生成して入力部５３に引き渡す（ステップＳ２０５）。
【００６６】
これを受けて入力部５３は、スイッチング電源装置１の現在の設定状態を画面に表示する。続いて、入力部５３は、プルダウンメニューによる出力仕様、入力仕様、そして、保護仕様に関するユーザによる設定選択操作の有無を監視する（ステップＳ２０６）。ここで、これら仕様変更情報に関する選択設定入力があり（ステップＳ２０６“ＹＥＳ”）、続いて「確定操作釦」５３７の操作を検知すると（ステップＳ２０７“ＹＥＳ”）、入力部５３は、取り込んだ仕様設定情報を処理部５２に引き渡す。処理部５２はその仕様設定情報と共にスイッチング電源装置１（制御部１２）にライトコマンド（仕様変更書き込みコマンド）を送信する（ステップＳ２０８）。
【００６７】
仕様変更書き込みコマンドを受信したスイッチング電源装置１（制御部１２）は、その仕様設定情報に基づき設定状態を変更するように、制御回路１２２による制御の下、記憶回路１２１に記憶されてある設定状態の更新を行う。以降、帰還回路１２３は、定電流負荷２に供給される直流電流の検出結果に応じた帰還量を確定して制御回路１２２に出力し、これを受けた制御回路１２２は、その帰還量と、記憶回路１２１に記憶された制御パラメータとに基づいて、定電流負荷２に供給される直流電流が定電流となるように電力変換部１１（コンバータ回路１１４）が内蔵するスイッチング素子のスイッチング動作のための駆動パルスを生成し、帰還回路１２３経由でコンバータ回路１１４に出力する。
【００６８】
続いて、ホストシステム５は、上記したライトコマンドに対する応答として制御部１２から変更設定情報に関するライトデータを受信すると（ステップＳ２０９“ＹＥＳ”）、処理部５２は、そのライトデータをベリファイにより確認し（ステップＳ２１０）、入力部５３に制御パラメータ設定の結果表示（設定ＯＫ／ＮＧ、および設定状態）を行ない（ステップＳ２１１）、制御パラメータ設定処理の一連の動作が終了する。
【００６９】
上記した各釦の操作は、ＰＣに接続された画面上に表示される釦をマウス等のポインティングデバイスを用いて選択する方法の他、画面上に表示される釦や制御パラメータ設定のための機器に操作可能に配置された釦を直接押下する方法等によって行なわれる。
【００７０】
（実施形態の効果）
以上説明のように本実施形態に係る電源装置システム６００によれば、スイッチング電源装置１は、定電流負荷２に供給される直流電流を検出するとともに、ホストシステム５により生成される制御パラメータを記憶し、検出された直流電流と記憶した制御パラメータとに基づいて、定電流負荷２に供給される直流電流が定電流となるようにスイッチング素子のスイッチング動作を行う駆動パルスを生成する。このため、スイッチング電源装置１は、内蔵するスイッチング素子の制御を、記憶した制御パラメータを用いて実行することができ、したがって、回路の構成や部品の定数等のハードウェアの変更を伴わずに特性や仕様変更が可能になる電源装置システム６００を提供することができる。
【００７１】
また、本実施形態に係るスイッチング電源装置１によれば、制御部１２が、定電流負荷２に供給される直流電流を検出するとともに、ホストシステム５により生成される制御パラメータを記憶し、検出された直流電流と記憶した制御パラメータとに基づいて、負荷に供給される直流電流が定電流となるように電力変換部１１（コンバータ回路１１４）が内蔵するスイッチング素子のスイッチング動作を行う駆動パルスを生成する。このため、スイッチング素子の制御を、記憶した制御パラメータを用いて実行することができ、したがって、回路の構成や部品の定数等のハードウェアの変更を伴わずに特性や仕様変更が可能になるスイッチング電源装置１を提供することができる。
【００７２】
本実施形態に係るパラメータ生成装置（ホストシステム５）によれば、処理部５２は、入力部５３によって取り込まれた仕様設定情報をスイッチング電源装置１に制御パラメータとして設定するにあたり、信号伝送部４を経由したスイッチング電源装置１との間の信号伝送経路を確定させる処理と、制御パラメータをスイッチング電源装置１に設定する処理と、当該設定した制御パラメータを確定する処理とにより、設定シーケンスの実行を行う。このため、制御パラメータが設定され、設定シーケンスの実行がなされたスイッチング電源装置１では、確定した制御パラメータを用いて電力変換部１１（コンバータ回路１１４）が内蔵するスイッチング素子の制御を行うことが出来、したがって、回路の構成や部品の定数等のハードウェアの変更を伴わずに特性や仕様変更が可能になる。
【００７３】
なお、本実施形態に係るプログラムは、例えば、図１に示されるように、パラメータ生成装置（ホストシステム５）によって実行され、交流電源３から供給される交流電圧をスイッチング素子のスイッチング動作により所定の直流電流に変換して負荷（定電流負荷２）に供給するスイッチング電源装置１とは信号伝送部４を経由して接続され、少なくとも前記負荷に供給される直流電流と前記交流電圧とのいずれか一方に対応した制御パラメータを生成するパラメータ生成装置５のプログラムである。そして、例えば、図７に示されるように、ＰＣに接続されたディスプレイ等に表示される操作選択情報に基づきＰＣに入力される、前記負荷に供給される直流電流に基づく出力仕様と前記交流電源３から供給される交流電圧に基づく入力仕様のうちの少なくとも一つの仕様設定情報を取り込む入力処理（ステップＳ２０１〜Ｓ２０７）と、前記取り込まれた仕様設定情報に基づき、前記信号伝送部を経由した前記スイッチング電源装置１との間の信号伝送経路を確定させ、前記取り込まれた仕様設定情報を前記スイッチング電源装置１に制御パラメータとして設定し、当該設定した制御パラメータを確定する設定シーケンス実行処理（ステップＳ２０８〜Ｓ２１１）と、を実行させる。
【００７４】
本実施形態に係るプログラムによれば、パラメータ生成装置（ホストシステム５）は、当該プログラムを逐次読み出し実行することにより、ＰＣに接続されるディスプレイ等に表示される操作選択情報に基づきＰＣに入力される、定電流負荷２に供給される直流電流に基づく出力仕様と交流電源３から供給される交流電圧Ｖａｃに基づく入力仕様のうちの少なくとも一つの仕様設定情報を取り込み、ここで取り込まれた仕様設定情報に基づき、信号伝送部４を経由したスイッチング電源装置１との間の信号伝送経路を確定させ、取り込まれた仕様設定情報をスイッチング電源装置１に制御パラメータとして設定し、当該設定した制御パラメータを確定する処理を実行する。このため、制御パラメータが設定され設定シーケンスの実行がなされたスイッチング電源装置１では、確定した制御パラメータを用いて内蔵するスイッチング素子の制御を行うことが出来、したがって、回路の構成や部品の定数等のハードウェアの変更を伴わずに特性や仕様変更が可能になる。
【００７５】
なお、本実施形態に係る電源装置システム６００によれば、負荷がＬＥＤ等の定電流負荷２を前提とした定電流制御のスイッチング電源装置１を使用すること構成として説明したが、定電圧制御のスイッチング電源装置や定電力制御のスイッチング電源装置にも同様の構成と方法の適用が可能である。
【００７６】
また、本実施形態に係る電源装置システム６００によれば、可視化された操作選択情報に基づいて制御パラメータの基となる仕様設定情報を選択して入力する構成として説明したが、ユーザによる操作の援助や設定シーケンスの実行状態の報知などを目的として、可聴情報（音声情報）の生成や発生を行なう構成や方法を伴っても良い。
【００７７】
更に、本発明は、定電流制御のスイッチング電源装置では出力電流を、定電圧制御のスイッチング電源装置では出力電圧を、定電力制御のスイッチング電源装置では出力電力を、それぞれ変更可能な機能を有することを妨げない。すなわち、例えば、定電流制御のスイッチング電源装置がＬＥＤ等の定電流負荷を光源とする照明装置を駆動する場合に、出力電流を変化させてＬＥＤ等の発光量を制御する調光機能を有しても良い。
【００７８】
以上、本発明の好ましい実施形態について詳述したが、本発明の技術的範囲は上記実施形態に記載の範囲には限定されないことは言うまでもない。上記実施形態に、多様な変更または改良を加えることが可能であることが当業者に明らかである。またその様な変更または改良を加えた形態も本発明の技術的範囲に含まれ得ることが、特許請求の範囲の記載から明らかである。
【符号の説明】
【００７９】
１・・・スイッチング電源装置、２・・・定電流負荷、３・・・交流電源、４・・・信号伝送部、５・・・パラメータ生成装置（ホストシステム）、１１・・・電力変換部、１２・・・制御部、１３・・・インタフェース回路Ｂ、４１・・・信号変換器、５１・・・インタフェース回路Ａ、５２・・・処理部、５３・・・入力部、１２１・・・記憶回路、１２２・・・制御回路、１２３・・・帰還回路（Ｆ／Ｂ回路）、６００・・・電源装置システム。
【図１】
0005829903.tif 000002
【図２】
0005829903.tif 000003
【図３】
0005829903.tif 000004
【図４】
0005829903.tif 000005
【図５】
0005829903.tif 000006
【図６】
0005829903.tif 000007
【図７】
0005829903.tif 000008